(57)【特許請求の範囲】
【請求項１】
端部支柱と、前記端部支柱間に取付手段を介して張り渡されるワイヤーロープとからなる漂流物捕捉用柵において、
前記ワイヤーロープの端部には、ねじ棒が固定され、
前記取付手段は、前記端部支柱に前記端部支柱を貫通して固定されるロープガイドと、前記ねじ棒に螺合するナットとからなり、
前記ロープガイドは、前記ワイヤーロープが挿通される管状のロープガイド本体と、前記ロープガイド本体の一端であって前記ロープガイド本体に挿通される前記ワイヤーロープが張り渡される側である内側端に固定された内側フランジ部材と、前記ロープガイド本体の他端である外側端に固定された外側フランジ部材とからなり、
前記ナットは、前記ロープガイド本体に挿通され、前記外側フランジ部材から突出する前記ねじ棒に螺合することを特徴とする漂流物捕捉用柵。
【請求項２】
前記外側フランジ部材は、前記内側フランジ部材より大径であることを特徴とする、請求項１に記載の漂流物捕捉用柵。
【請求項３】
前記内側フランジ部材に形成された開口および前記外側フランジ部材に形成された開口は、それぞれ外方に向かって広がっていることを特徴とする、請求項１または２に記載の漂流物捕捉用柵。
【請求項４】
前記内側フランジ部材および前記外側フランジ部材は、それぞれ隅肉溶接により前記端部支柱に固定されていることを特徴とする、請求項１から３の何れか１つに記載の漂流物捕捉用柵。
【請求項５】
前記ナットは、前記ねじ棒に座金を介して螺合することを特徴とする、請求項１から４の何れか１つに記載の漂流物捕捉用柵。
【発明の詳細な説明】
【技術分野】
【０００１】
この発明は、漂流物捕捉用柵、特に、容易かつ安価に製造することができる漂流物捕捉用柵に関するものである。
【背景技術】
【０００２】
例えば、津波襲来時の押し波によって、海上から陸上に向かって流される小型船舶や木材などの漂流物から町を守り、一方、その後の引き波時において、陸上のコンテナや車などの海上への流出を防止するために、海上と陸上との境となる岸壁や護岸などに漂流物捕捉用柵が設置されている。
【０００３】
漂流物捕捉用柵の一例を、図面を参照しながら説明する。以下、この漂流物捕捉用柵を従来柵という。
【０００４】
図８は、従来柵を示す正面図、図９は、図８のＡ−Ａ断面図、図１０は、従来柵における支柱とワイヤーロープとの取付部分を示す正面図、図１１は、図１０のＢ矢視図である。
【０００５】
図８から図１１において、２１は、端部支柱、２２は、中間支柱、２３は、ワイヤーロープである。ワイヤーロープ２３は、端部支柱２１間に中間支柱２２を貫通して張り渡されている。ワイヤーロープ２３の端部には、図１０に示すように、ねじ棒２４が固定され、ねじ棒２４は、後述する取付金具にねじ止めされる。
【０００６】
２５は、端部支柱２１にワイヤーロープ２３の端部を取り付けるための取付金具であり、図１０、図１１に示すように、端部支柱２１の内側に溶接されている。ワイヤーロープ２３は、その端部のねじ棒２４を取付金具２５に通し、座金２６を介してナット２７を締めることにより、端部支柱２１に固定されている。
【０００７】
２８は、図９に示すように、中間支柱２２に取り付けられた管状のロープガイドであり、ワイヤーロープ２３は、ロープガイド２８を介して中間支柱２２に通されている。ロープガイド２８の一例は、特許文献１に開示されている。
【０００８】
従来柵によれば、端部支柱２１間に中間支柱２２を貫通してワイヤーロープ２３を仮止めし、ナット２７を座金２６を介してねじ棒２４に螺合させ、ナット２７を締めることによって、ワイヤーロープ２３に所定の張力を付与した状態で、ワイヤーロープ２３を端部支柱２１間に張り渡すことができる。
【先行技術文献】
【特許文献】
【０００９】
【特許文献１】意匠登録第１３２５８４６号公報
【発明の概要】
【発明が解決しようとする課題】
【００１０】
従来柵によれば、端部支柱２１間にワイヤーロープ２３を張り渡すことはできるが、以下のような問題があった。
【００１１】
漂流物捕捉時にワイヤーロープ２３に生じる張力は、端部支柱２１の内側に取り付けられた取付金具２５を介して端部支柱２１に作用するために、強度の高い取付金具２５を使用する必要があるが、これには、取付金具２５を大型化する必要性があるとともに、端部支柱２１への取付金具２５の取付強度を高める必要性がある。
【００１２】
しかし、取付金具２５を大型化すると、その分、取付金具２５の製造コストが高くなる。また、端部支柱２１と取付金具２５との取付強度を高めるには、端部支柱２１と取付金具２５との溶接サイズを大きくする必要があるので、その分、柵の構築に余分な時間と手間を要する。
【００１３】
従って、この発明の目的は、容易かつ安価に製造することができる漂流物捕捉用柵を提供することにある。
【課題を解決するための手段】
【００１４】
この発明は、上記目的を達成するためになされたものであって、下記を特徴とする。
【００１５】
請求項１に記載の発明は、端部支柱と、前記端部支柱間に取付手段を介して張り渡されるワイヤーロープとからなる漂流物捕捉用柵において、前記ワイヤーロープの端部には、ねじ棒が固定され、前記取付手段は、前記端部支柱に前記端部支柱を貫通して固定されるロープガイドと、前記ねじ棒に螺合するナットとからなり、前記ロープガイドは、前記ワイヤーロープが挿通される管状のロープガイド本体と、前記ロープガイド本体の一端であって前記ロープガイド本体に挿通される前記ワイヤーロープが張り渡される側である内側端に固定された内側フランジ部材と、前記ロープガイド本体の他端である外側端に固定された外側フランジ部材とからなり、前記ナットは、前記ロープガイド本体に挿通され、前記外側フランジ部材から突出する前記ねじ棒に螺合することを特徴とするものである。
【００１６】
請求項２に記載の発明は、請求項１に記載の発明において、前記外側フランジ部材は、前記内側フランジ部材より大径であることに特徴を有するものである。
【００１７】
請求項３に記載の発明は、請求項１または２に記載の発明において、前記内側フランジ部材に形成された開口および前記外側フランジ部材に形成された開口は、それぞれ外方に向かって広がっていることに特徴を有するものである。
【００１８】
請求項４に記載の発明は、請求項１から３の何れか１つに記載の発明において、前記内側フランジ部材および前記外側フランジ部材は、それぞれ隅肉溶接により前記端部支柱に固定されていることに特徴を有するものである。
【００１９】
請求項５に記載の発明は、請求項１から４の何れか１つに記載の発明において、前記ナットは、前記ねじ棒に座金を介して螺合することに特徴を有するものである。
【発明の効果】
【００２０】
この発明によれば、端部支柱に、これを貫通して、取付手段を構成するロープガイドを取り付け、前記ロープガイドの外側フランジ部材から突出するワイヤーロープのねじ棒にナットを座金を介して螺合させ、かくして、前記ワイヤーロープの端部を前記端部支柱に固定することにより、漂流物の捕捉により前記ワイヤーロープに生じる張力は、前記外側フランジ部材を介して前記端部支柱に作用する。この結果、前記取付手段を大型化して強度を高める必要がないので、前記取付手段を安価に製造することができる。
【００２１】
また、この発明によれば、前記外側フランジ部材の前記端部支柱への固定は、隅肉溶接のみで済むので、前記取付手段の溶接サイズは、小さくて済む。この結果、柵の構築に余分な時間と手間を要しない。
【００２２】
以上のことから、この発明によれば、漂流物捕捉用柵を容易かつ安価に製造することができる。
【図面の簡単な説明】
【００２３】
【図１】この発明の漂流物捕捉用柵を示す正面図である。
【図２】図１のＡ−Ａ断面図である。
【図３】この発明の漂流物捕捉用柵における外側フランジ部材と端部支柱との固定部分を示す部分断面図である。
【図４】図３のＢ矢視図である。
【図５】この発明の漂流物捕捉用柵におけるロープガイドを示す断面図である。
【図６】図５のＣ矢視図である。
【図７】図５のＤ矢視図である。
【図８】従来柵を示す正面図である。
【図９】図８のＡ−Ａ断面図である。
【図１０】従来柵における支柱とワイヤーロープとの取付部分を示す正面図である。
【図１１】図１０のＢ矢視図である。
【発明を実施するための形態】
【００２４】
この発明の漂流物捕捉用柵の一実施態様を、図面を参照しながら説明する。
【００２５】
図１は、この発明の漂流物捕捉用柵を示す正面図、図２は、図１のＡ−Ａ断面図、図３は、この発明の漂流物捕捉用柵における外側フランジ部材と端部支柱との固定部分を示す部分断面図、図４は、図３のＢ矢視図である。
【００２６】
図１から図４において、１は、端部支柱、２は、中間支柱、３は、ワイヤーロープである。ワイヤーロープ３は、端部支柱１間に中間支柱２を貫通して張り渡されている。ワイヤーロープ３の端部には、図２に示すように、ねじ棒４が固定され、ねじ棒４は、後述する取付手段にねじ止めされる。
【００２７】
５は、端部支柱１にワイヤーロープ３の端部を取り付けるための取付手段である。取付手段５は、端部支柱１に端部支柱１を貫通して固定されるロープガイド６と、ねじ棒４に座金７を介して螺合するナット８とからなっている。
【００２８】
ロープガイド６は、図５に示すように、ワイヤーロープ３が挿通される管状のロープガイド本体９と、ロープガイド本体９の内側端に固定された内側フランジ部材１０と、ロープガイド本体９の外側端に固定された外側フランジ部材１１とからなっている。内側フランジ部材１０および外側フランジ部材１１は、それぞれ隅肉溶接により端部支柱１に固定されている。
【００２９】
ナット８は、ロープガイド本体９に挿通され、外側フランジ部材１１から突出するねじ棒４に座金７を介して螺合する。漂流物の捕捉によりワイヤーロープ３に生じる張力は、ナット８および外側フランジ部材１１を介して端部支柱１に作用するが、外側フランジ部材１１は端部支柱１の外側に固定されているので、外側フランジ部材１１の端部支柱１への固定強度は、隅肉溶接で十分に得ることができる。
【００３０】
外側フランジ部材１１は、内側フランジ部材１０より大径である。これは、漂流物の捕捉によりワイヤーロープ３に生じる張力は、外側フランジ部材１１を介して端部支柱１に作用するので、張力を分散して端部支柱１に作用させるためである。
【００３１】
内側フランジ部材１０に形成された開口（Ｏ１）および外側フランジ部材１１に形成された開口（Ｏ２）は、それぞれ外方に向かって広がっている。これは、ワイヤーロープ３をロープガイド本体９内に通しやすく、また、ワイヤーロープが傷つくことを防止するためである。
【００３２】
中間支柱２には、従来柵におけると同様な管状のロープガイド２８が取り付けられ、ワイヤーロープ３は、ロープガイド２８を介して中間支柱２に通されている。
【００３３】
この発明の漂流物捕捉用柵によれば、端部支柱１間に中間支柱２を貫通してワイヤーロープ３を仮止めし、外側フランジ部材１１から突出するねじ棒４にナット８を螺合させて、ナット８を座金７を介して締めることによって、ワイヤーロープ３に所定の張力を付与した状態で、ワイヤーロープ３を端部支柱１間に張り渡すことができる。
【００３４】
以上、説明したように、この発明によれば、端部支柱１に、これを貫通して、取付手段５を構成するロープガイド６を取り付け、ロープガイド６の外側フランジ部材１１から突出するワイヤーロープ３のねじ棒４にナット８を座金７を介して螺合させ、かくして、ワイヤーロープ３の端部を端部支柱１に固定することにより、漂流物の捕捉によりワイヤーロープ３に生じる張力は、外側フランジ部材１１を介して端部支柱１に作用する。この結果、取付手段５を大型化して強度を高める必要がないので、取付手段５を安価に製造することができる。
【００３５】
また、この発明によれば、外側フランジ部材１１の端部支柱１への固定は、隅肉溶接のみで済むので、取付手段５の溶接サイズは、小さくて済む。この結果、柵の構築に余分な時間と手間を要しない。
【００３６】
以上のことから、この発明によれば、漂流物捕捉用柵を容易かつ安価に製造することができる。
【符号の説明】
【００３７】
１：端部支柱
２：中間支柱
３：ワイヤーロープ
４：ねじ棒
５：取付手段
６：ロープガイド
７：座金
８：ナット
９：ロープガイド本体
１０：内側フランジ部材
１１：外側フランジ部材
２１：端部支柱
２２：中間支柱
２３：ワイヤーロープ
２４：ねじ棒
２５：取付金具
２６：座金
２７：ナット
２８：ロープガイド
【図１】
0006611320.tif 000002
【図２】
0006611320.tif 000003
【図３】
0006611320.tif 000004
【図４】
0006611320.tif 000005
【図５】
0006611320.tif 000006
【図６】
0006611320.tif 000007
【図７】
0006611320.tif 000008
【図８】
0006611320.tif 000009
【図９】
0006611320.tif 000010
【図１０】
0006611320.tif 000011
【図１１】
0006611320.tif 000012